(57)【要約】【課題】ＲＪ型の接続インタフェースを規定する、複数の通信線についての導体対を持つバネ接触子を備えるコネクタジャックを提供する。【解決手段】電気的コネクタが、バネ接触子の終端位置部分４１〜４８と他の終端位置部分との間に各々延びる相互に接続した導体を有する回路基板６６を備える。各々のバネ接触子の終端位置部分４１〜４８において終端するバネ接触導体の対が提供される。バネ接触導体の対のうちのバネ接触導体の各々がプラグ接触ゾーンを有し、対応するプラグ接触ゾーンから各々のバネ接触子の終端位置部分４１〜４８へのバネ接触導電パスを規定する。バネ接触導体の対が、対応するプラグ接触ゾーンから各々のバネ接触子の終端位置部分４１〜４８への異なる導電パスの長さを提供する。【選択図】図１
2007227350.tif 000002
【特許請求の範囲】
【請求項１】
電気的コネクタジャックであって、
支持部と、挿入面を備える開口を規定するプラグ受け部とを備える本体と、
前記挿入面を受ける前記プラグに関して当該回路基板を配置するための前記支持部に実装される回路基板であって、バネ接触子の終端位置部分から各々延びる回路トレースを備え、前記バネ接触子の終端位置部分が、前記挿入面からの第１の間隔を持つバネ接触子の終端位置部分の第１の組と、前記挿入面からの第２の間隔を持つバネ接触子の終端位置部分の第２の組と、前記挿入面からの第３の間隔を持つバネ接触子の終端位置部分の第３の組とを備える回路基板と、
複数のバネ接触導体であって、各々がその各々の備える前記バネ接触子の終端位置部分の一つにおいて終端し、かつ、各々が前記挿入面からの共通の間隔で実質的に隔てられた共通のプラグ接触ゾーンを有する複数のバネ接触導体とを備える
ことを特徴とする電気的コネクタジャック。
【請求項２】
請求項１に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、７ｍｍ以下の導電パスを有し、前記バネ接触子の終端位置部分の第３の組に接続するバネ接触導体が７ｍｍ以上の導電パスを有する
ことを特徴とする電気的コネクタジャック。
【請求項３】
請求項２に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組に接続するバネ接触導体が、４ｍｍと５ｍｍとの間の導電パスを有し、前記バネ接触子の終端位置部分の第２の組に接続するバネ接触導体が、４．５ｍｍと５．５ｍｍとの間の導電パスを有し、前記バネ接触子の終端位置部分の第３の組に接続するバネ接触導体が、１０ｍｍ以上の導電パスを有する
ことを特徴とする電気的コネクタジャック。
【請求項４】
請求項２に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、０．３５ｍｍ以下の高さと０．４ｍｍ以下の幅の断面を有する
ことを特徴とする電気的コネクタジャック。
【請求項５】
請求項２に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、１．５ｍｍ以下の最小の変形を有し、前記バネ接触子の終端位置部分の第３の組に接続するバネ接触導体が少なくとも１．５ｍｍの最小の変形を有する
ことを特徴とする電気的コネクタジャック。
【請求項６】
請求項１に記載の電気的コネクタジャックにおいて、
前記バネ接触導体の各々が、前記プラグ接触ゾーンから各々の前記バネ接触子の終端位置部分への導電パスを提供し、
３つのバネ接触導体が、前記バネ接触子の終端位置部分の第１の組に接続され、前記３つのバネ接触導体が、前記バネ接触子の終端位置部分の第１の組に接続されたバネ接触導体によって、又は、他の終端部分の接触を提供するための前記バネ接触子の終端位置部分の第２の組に接続されたバネ接触導体によって、前記バネ接触子の終端位置部分の第２の組に接続され、
２つのバネ接触導体が、前記他の終端部分の接触の一方の側に延びる前記バネ接触子の終端位置部分の第３の組に接続された前記バネ接触導体の一方によって、及び、前記他の終端部分の接触体の他方の側に延びる前記バネ接触子の終端位置部分の第３の組に接続された前記バネ接触導体の他方によって、前記バネ接触子の終端位置部分の第３の組に接続される
ことを特徴とする電気的コネクタジャック。
【請求項７】
請求項６に記載の電気的コネクタジャックにおいて、
前記他の終端部分の接触体の断面が、前記バネ接触子の終端位置部分の第３の組に接続された前記バネ接触導体の断面より小さい
ことを特徴とする電気的コネクタジャック。
【発明の詳細な説明】
【技術分野】
【０００１】
本発明は、電気的コネクタジャックに関し、特に、ＲＪ型及びジャックコネクタといった、通信システム用のコネクタに関し、特に、ＴＩＡ（電気通信工業会）／ＥＩＡ（電気産業協会）のカテゴリ６の性能といった高レベルのスループット伝送性能を実現するコネクタに関する。
【背景技術】
【０００２】
インターネットトラフィックの増加と、ウェブアプリケーションの複雑さと使用の増加によって、ネットワークプロバイダとネットワークインフラストラクチャの管理者は、ネットワーク装置に対して高い伝送速度を求めるようになってきた。ＴＩＡ／ＥＩＡは、この要求を満たすため、ＣＡＴ６と呼ばれることが多い高性能のケーブルカテゴリを規定している。
【０００３】
そのような高性能のケーブルは、ＲＪ４５ジャック及びプラグのフォーマットを用いる。そのようなコネクタにおける通信線のフォーマットについての取決めは、コネクタにおける中央の導体の対とコネクタにおける分離した導体の対とを備える通信線を含んでいる。分離した対の１つの導体接続は、中央の対の導体接触子の各側にある。そのようなＲＪ４５プラグが、（規格による）高周波数の信号でＲＪ４５ジャックと嵌合する場合、分離した対は、他の対から高い近端クロストーク減衰量（ＮＥＸＴ）を受ける。
【０００４】
クロストークの補償又は解消のために、導体の１対の電気信号を導体の他の対に結合させる技術が知られている。特開昭６４（１９８９）−２０６９０号公報（’６９０号公報）は、キャパシタがハウジング内にインストールされているクロストーク防御機能を有するモジュラーテレフォンジャックを開示する。プリント回路基板は、キャパシタに接続され、さらに、圧着接触（ＩＤＣ）とジャックの接触バネとの間に接続されたレースを備える。図４において、キャパシタを形成し、クロストークに対処するためのトレースが用いられる配置が示される。これらのトレースは、左右に交叉し合っている。’６９０号公報は、容量のインタラクションをもたらしてクロストークを減少させる、回路基板の相互に接続するトレースと、ジャック内のクロストークを減らすための、回路基板の相互に接続するトレースに接続されている、別個のキャパシタを開示する。
【０００５】
米国特許第５，９９７，３５８号（ＵＳ‘３５８）は、導体の対の間に予め定められた量の補償を導入する補償ステージを提供することによって高い伝送性能（ＣＡＴ６）を実現する電気コネクタを開示する。そのような補償ステージの２つ又は２つ以上が提供される。第１の補償ステージは、他の補償ステージに関して時間遅れのある補償信号を加える。第１のステージでは、クロストーク補償が、ある周波数における第１の予め定められた大きさとフェーズを持つ対の間に導入される。第２のステージでは、クロストーク補償が、ある周波数における第２の大きさとフェーズを持つ対の間に導入される。第１のステージの大きさはオフェンディングクロストーク（offending crosstalk ）よりも大きく、第２のステージはオフェンディングクロストークを再導入する。多数の補償ステージがフェーズ問題を補償するために用いられる。なぜなら、高周波数においては、オフェンディングクロストークとちょうど１８０度フェーズが離れたクロストーク補償を導入することができないからである。
【特許文献１】特開昭６４−２０６９０号公報
【特許文献２】米国特許第５，９９７，３５８号公報
【発明の開示】
【発明が解決しようとする課題】
【０００６】
本発明は、ＲＪ型のプラグとの接続用、プリント回路基板上の相互接続する回路との接続用、及び、高いレベルのスループットを実現するためのクロストーク補償手段との接続用のＲＪ型の接続インタフェースを規定する、複数の通信線についての導体対を持つバネ接触子を備えるコネクタジャックの提供を目的とする。
【課題を解決するための手段】
【０００７】
本発明によれば、支持部と、挿入面を備える開口を規定するプラグ受け部とを備える本体と、前記挿入面を受ける前記プラグに関して当該回路基板を配置するための前記支持部に実装される回路基板とを備える電気的コネクタジャックが提供される。当該回路基板が、当該バネ接触子の終端位置部分から各々延びる回路トレースを備える。当該バネ接触子の終端位置部分が、挿入面からの第１の間隔を持つバネ接触子の終端位置部分の第１の組と、挿入面からの第２の間隔を持つバネ接触子の終端位置部分の第２の組と、挿入面からの第３の間隔を持つバネ接触子の終端位置部分の第３の組とを備える。各々が前記バネ接触子の終端位置部分の一つの各々において終端する、共通のプラグ接触ゾーンを有する複数のバネ接触導体が提供される。当該共通のプラグ接触ゾーンが、挿入面からの共通の間隔で実質的に隔てられる。
【０００８】
当該バネ接触導体の各々が、プラグ接触ゾーンから各々のバネ接触子の終端位置部分への導電パスを提供する。当該バネ接触子の終端位置部分の第１の組とバネ接触子の終端位置部分の第２の組に接続するバネ接触導体が、７ｍｍ以下の導電パスを有し、当該バネ接触子の終端位置部分の第３の組に接続するバネ接触導体が７ｍｍ以上の導電パスを有する。
【０００９】
本発明の他の側面によれば、各々がバネ接触子の終端位置部分と他の終端位置部分との間に延びる、相互に接続する導体を備える回路基板を備える電気的コネクタが提供される。また、各々が前記バネ接触子の終端位置部分の一つの各々において終端する１組のバネ接触導体が備えられる。バネ接触子の終端位置部分の組の当該バネ接触導体の各々が、プラグ接触ゾーンを備え、そして、対応する前記プラグ接触ゾーンから各々のバネ接触子の終端位置部分への６．７ｍｍ以下又は６．２ｍｍ以下のバネ接触導電パスを規定する。
【００１０】
また、各々が前記バネ接触子の終端位置部分の一つの各々において終端する追加的なバネ接触導体の組が備えられる。この追加的なバネ接触導体の組が、他のバネ接触導体の右側にある、右外側のバネ接触導体と、他のバネ接触導体の左側にある、左外側のバネ接触導体とを備える。当該追加的なバネ接触導体の組が、各々、プラグ接触ゾーンを備え、対応する前記プラグ接触ゾーンから各々のバネ接触子の終端位置部分への１０ｍｍ以上のバネ接触導電パスを規定する。これによって、ジャックとプラグの物理的な要求を実現するバネ接触（ピン）構成を採ることが可能となる。
【００１１】
バネ接触子の終端位置部分が、対応するバネ接触導体の前記プラグ接触ゾーンからの間隔が異なるように、隣接するバネ接触子の終端位置部分とオフセットされており、第１のバネ接触導体の組のいくつかが、４．８ｍｍから５．２ｍｍのバネ接触導電パスを有し、当該第１のバネ接触導体の組の他の接続導体が、４．０ｍｍから４．４ｍｍのバネ接触導電パスを有する。
【００１２】
相互に接続する導体と、電気的に接続されたバネ接触導体の対が、伝送線部を形成する。コネクタが、更に、一つの通信線の第１の相互に接続した導体と他の通信線の第２の相互に接続した導体との間に第１／第２のクロストーク補償信号を提供する第１／第２のクロストーク補償素子と、一つの通信線の第２の相互に接続した導体と他の通信線の第１の相互に接続した導体との間に第２／第１のクロストーク補償信号を提供する第２／第１のクロストーク補償素子とを備え、各クロストーク補償素子が、当該終端位置部分において、又は、当該終端位置部分に隣接したところにおいて適用される。当該第１／第２のクロストーク補償素子と当該第２／第１のクロストーク補償素子が、回路基板上の第１の通信線と第２の通信線との間に接続された唯一の補償素子である。他のクロストーク補償素子が、当該一つの通信線の相互に接続した導体と当該第２の通信線の相互に接続した導体との間にクロストーク補償信号を提供する。更なるクロストーク補償信号を提供する当該他のクロストーク補償素子が、当該一つの通信線と第２の通信線の終端位置部分から７．２ｍｍ以下、６．７ｍｍ以下、又は、６．２ｍｍ以下のところにおいて、又はその反対の終端位置部分（ＩＤＣ終端位置部分）において適用される。
【００１３】
さらに、本発明は、（第１の伝送線の）中央のバネ接触導体の対と、１つの導体が中央のバネ接触導体の対の各側にある分離したバネ接触導体の対とを備えるコネクタジャックであって、ＲＪ型の接続インタフェースを規定する導体と、クロストークソースの各々に対して（補償信号を提供する）単一のクロストーク補償素子のみを備えるように簡潔化されたプリント回路基板といった回路を備え、当該補償素子からの第１の伝送線と第２の伝送線とによって伝送される信号が、２５０ＭＨｚにおいて−４６ｄＢ以下であるコネクタジャックの提供を目的とする。
【００１４】
本発明を特徴付ける様々な新規な特徴が、本発明を開示する一部である添付した特許請求の範囲中の特徴とともに示される。本発明とその動作上の利点とその利用によりもたらされる特定の目的をより理解するために、本発明の好適な実施例が示される添付した図面と記述事項が参照される。
【発明の効果】
【００１５】
本発明の電気的コネクタジャックによれば、バネ接触導体が、接触エリアにおいて接触を提供しつつ、回路基板の終端位置部分から（あるいは開口の面から）異なる間隔の所において終端することが可能になる。また、バネ接触導体が、隣接するバネ接触導体とのクロストークカップリングを軽減し又は防止することができる。
【発明を実施するための最良の形態】
【００１６】
特に図面を参照すると、図１は、１０で示されるジャックアセンブリを示す。ジャックアセンブリ（組立体）１０は、以下に説明するいくつかの実施例のうちの一つにおいて備えられる。異なる実施例間の違いは、以下に説明するように、異なる回路基板の実施例に関連する。そうでなければ、ジャックアセンブリの各々の実施例は、ジャックベーシックプラスチック部１４とジャックプラスチックカバー部１２とを備える。プラスチックベーシック部１４は、ワイヤーを受けるスロット１６を備え、それらが圧着接触（圧着接触）１５に電気的に結びつく（終端する）ようにしている。ジャックプラスチックカバー部１２は、配置されたバネ接触（又は接続、以下同じ）導体（バネ接触子又はバネ接続子）２１乃至２８を伴うＲＪ型のインタフェースを提供するプラグ開口１８を備える。ジャックアセンブリ１０は、別個に、又は、タッチパネルを提供する他の類似するジャックを備えるバンクにおいて実装されて用いられる。
【００１７】
開示される実施例におけるバネ接触導体２１乃至２８が、様々なジオメトリ（幾何学的形状）を持つ組で提供される。最も外側のバネ接触（接触子）２１と２８とが既知のバネ接触子のジオメトリに似ているが、少し長い。最も外側のバネ接触子２１及び２８の各々が、回路基板６６に終端し（図３Ａ及び図３Ｃを参照）、（プラグ開口１８の面に関して）上方、そして、後方に、接触ポイント又は接触エリア７０に対して延びる。図４Ａ、図４Ｂ及び図４Ｃに示されるように、接触子２２、２４、２６は、より短い長さを持ち、回路基板６６における終端ポイント（４２、４４、４６）から上方に延び、そして、接触子２１及び２８とは異なる角度で後方に延びる。接触子２３、２５及び２７は、接触子２２、２４及び２６と同様の長さであるが、接触子２２、２４及び２６の終端ポイントの後方で回路基板６６に終端する（４３、４５、４７）。バネ接触導体２１乃至２８は、各々、プリント回路基板６６に終端する。異なるジオメトリにより、バネ接触導体２２から２７が、接触エリア７０において接触を提供しつつ、回路基板の終端位置部分から（あるいは開口１８の面から）異なる間隔の所において終端することが可能になる。この配置により、バネ接触導体２１乃至２８は、ＲＪプラグ６２が接触位置に挿入された時、対応するＲＪプラグ６２の導体接触子６０に組み合わされる。
【００１８】
図３Ａ乃至図３Ｄにおいて示されるように、ＲＪプラグ６２は開口１８に挿入され、接触位置を形成する。この接触位置において、プラグ接触子６０は開口１８の面から接触位置に対してある距離だけ延びる。ＲＪプラグ６２が接触位置にある場合の、接触子６０（及び接触エリア７０）の開口１８の面からの距離は、（許容範囲内の）規格であり、約８．４ｍｍである。典型的には、ＲＪプラグ６２は、ジャックプラスチックカバー部１２の表面と結びつき、接触位置にプラグを設置するラッチ素子６３を備える。これが、接触子６０（及びプラグ接触エリア７０）の開口１８の面からの設定距離を維持する。バネ接触子２１乃至２８の組には３つの異なるジオメトリが存在するが、バネ接触導体２１乃至２８の各々についてのプラグ接触エリア７０は、開口１８の面からほとんど同じ距離にある。バネ接触導体２１乃至２８の異なるジオメトリは、また、プラグ接触エリア７０の外側の領域における隣接するバネ接触導体２１乃至２８のクロストークカップリングを軽減し又は防止する。
【００１９】
図７及び図８に示されるように、バネ接触導体２１及び２８についての回路基板６６上の各々の終端位置部分４１、４８は、バネ接触子２２、２４、２６についての終端位置部分に比して、接触エリア７０から遠く、そして、開口１８の面に近い。バネ接触導体２２、２４、２６についての回路基板６６に沿った終端位置部分は、バネ接触導体２３、２５及び２７についての終端位置部分に比して開口１８の面に近い。その結果、これらの終端位置部分は、終端位置部分（４１乃至４８）から接触エリア７０までの異なる距離又は信号のパス（異なる導電パスの距離）を提供する。
【００２０】
プリント回路基板６６（図４及び図５）は、終端位置部分を形成するために各バネ接触導体２１乃至２８を受ける貫通孔４１乃至４８を備える。ＩＤＣ１５は、貫通孔８１乃至８８を経由して回路基板６６に接続する。貫通孔４１乃至４８は、各々、トレース（trace 、例えば当該形状を描くように配置された導体）３１から３８の形を採る相互に接続する導体を経由して貫通孔８１乃至８８に接続する。貫通孔４１乃至４８、貫通孔８１乃至８８及びトレース３１から３８は、バネ接触導体２１乃至２８に関連する通信線の信号パスを延ばす。
【００２１】
ジャックアセンブリ１０は、高性能の通信アプリケーション用の通信線を提供するために用いられる。そのような伝送線は、各々、１対の信号パスを有する。実施例の信号パスは信号パス１、２の対、信号パス３、６の対、信号パス４、５の対及び信号パス７、８の対を有する。信号パス１、２はジャックアセンブリ１０の領域にあり、バネ接触導体２１、２２、貫通孔４１、４２、トレース３１、３２及びＩＤＣの貫通孔８１、８２及び接続されたＩＤＣ１５を含む導体により形成される。バネ接触導体２３及び２６を含む信号パス３と６の領域を除いて、１対の通信線についての信号パスのほとんどは、互いに隣接している。バネ接触導体２３及び２６は、それらの間に配置されているバネ接触導体２４及び２５によって分離される。バネ接触導体２５及び２４は、中央の導体の対又は中央の導体通信線群である。バネ接触導体２３及び２６は、分離された導体の対又は分離された導体通信線群である。クロストークは、一方の側に伝送線１、２からの導体２２を備え、他方の側に４、５番の伝送線からの導体２４を備える導体２３を含む領域において問題となる。導体２６は、一方の側に伝送線４、５からの導体２４を備え、他方の側に伝送線７、８からの導体２７を備える。
【００２２】
通信線のパスを提供しない導電トレースが、さらに提供される。換言すれば、一つの通信線の（デッドエンドの）トレースが、他の通信線の（デッドエンドの）トレースとインタラクトして、ここでクロストーク補償素子と呼ぶキャパシタ（より正確には、容量性及び導体性の機能を持つリアクティブ素子）を形成する。図７は、バネ接触導体２４及び２６の終端位置部分に接続されるトレースを備えるクロストーク補償素子６４を示す。バネ接触導体２３及びバネ接触導体２５の終端位置部分に接続するトレースを備える補償素子５３が提供される。補償素子５３は、バネ接触導体２３及び２４と接触エリア７０との間に導入されたクロストーク信号（ノイズ信号）ｖ1 の大きさと実質的に同じ大きさの補償信号ｖ2 を導入する。補償素子６４は、バネ接触導体２５及び２６と接触エリア７０との間に導入されたクロストーク信号（ノイズ信号）ｖ1 の大きさと実質的に同じ大きさの補償信号ｖ2 を導入する。
【００２３】
図６に示すように、ノイズｖ1 を補償するため、信号ｖ2 がｖ1 の適用点又は領域（接触領域７０）とある距離だけ後ろにおいて（信号パスに沿って）加えられる。複素数平面の図（図６）を考慮すると、この距離は、図６中においてφで示されるフェーズ遅れをもたらす。図６から、ｖ1 とｖ2 のベクトル和は、以下のような２つの成分を持つベクトルｖt を示す。
【００２４】
ｖtx＝ｖ2 ｓｉｎφ        ．．．式（１）
ｖty＝ｖ2 ｃｏｓφ−ｖ1   ．．．式（２）
ｖt の大きさは、
【００２５】
【数１】
2007227350.tif 000003
【００２６】
である。
【００２７】
本発明者は、最小のｖt は、∂ｖt ／∂ｖ2 ＝０の場合に生じ、これは、ｖ2 ＝ｖ1 ｃｏｓφの時に起こることを見いだした。これから、
【００２８】
【数２】
2007227350.tif 000004
【００２９】
である。
【００３０】
要求される補償ベクトルは、正しく算出され得るが、許容問題なしには生成し得ない。合理的で実現可能な許容レベルとして１２．５％を想定すると、ｖ2 ＝０．８７５ｖ1 ｃｏｓφ、又は、ｖ2 ＝１．１２５ｖ1 ｃｏｓφである。ｖ2 ＝１．１２５ｖ1 ｃｏｓφを用いると、
【００３１】
【数３】
2007227350.tif 000005
【００３２】
が得られる。式（５）から、ｖt はｃｏｓφにほとんど比例することが明らかであり、フェーズ遅れ角度φに反比例する。カテゴリ６（ＣＡＴ６）コネクタハードウェアの実際の例を考慮すると、ＴＩＡ／ＥＩＡ５６８Ｂ．２−１に従い、２５０ＭＨｚで−４６ｄＢ以下のｖt を持たなければならない。既述した規格から、ｖ1 は、中央の対（２４、２５）と分離した対（２３、２６）との間において、２５０ＭＨｚにおいて−２９ｄＢでなければならないことがわかる。これらのデータを式（５）に代入すると、１０ｌｏｇ（１−０．９８４ｃｏｓ2 φ）＝−１７が得られる。
【００３３】
本発明の第１の実施例は、φが３．８度以下とならないように単一の補償信号（単一の補償素子）に対する補償を制限する。そうでなければ、発生するＮＥＸＴノイズは、許容できない（ＣＡＴ６性能が達成されない）。本発明者は、また、寸法公差が１４％以上である場合は、ＣＡＴ６性能の要求を満たすために信号補償信号を用いる明白な方法がないことを見出した。
【００３４】
銅製の伝送線中において伝送される電磁波を考慮すると、通常の０．６５という速度因子を用いることができる。２５０ＭＨｚにおける波長は、０．７８メートルである。その結果、３．８度のフェーズ遅れについての物理的な長さは８．２ｍｍである。しかし、補償信号がその伝送線において（伝送線の第１の信号パスと第２の信号パスを用いて）迂回するので、ｖ1 とｖ2 との間（接触領域と補償素子接触領域との間）の実際の距離は、通常４．１ｍｍ未満である。今日の製造技術能力の限界である１０％の寸法公差の場合は、当該性能は、ｖ1 とｖ2 との間（接触領域と補償素子接触領域との間）の距離が６．２ｍｍより長い距離で達成される。本発明のジャックとジャックアセンブリ１０は、特に、６．２ｍｍ未満という、１又は複数のバネ接触導体２１乃至２８のプラグとジャックの接触位置７０から補償信号の適用位置までの距離を提供する。補償信号は、各々のバネ接触子の終端領域の貫通孔４１乃至４８といった位置において、補償素子の一つ（例えば３５、６４）に導入され、又は、適用される。
【００３５】
図５は、終端するバネ接触導体２１乃至２８を示し、接触状態（当該接触状態は、図３に示される）におけるこれらの導体２１乃至２８の位置を透視的に示す。図４Ａ乃至図４Ｃは、プラグ接触エリア７０からプリント回路基板６６（６６' ）の終端位置部分までの長さを示す。図５及び図４Ａ乃至図４Ｃから、導体２２、２４、２６と、２３、２５、２７という２組の導体の信号パスの長さは、導体２１及び２８の信号パスの長さより短いことがわかる。（屈曲した信号パスの長さを含む）短縮された信号パスの長さが、図４Ａ乃至図４Ｃから考えられる。導体２１及び２８の信号パスの長さは、好ましくは前方のジャックより長い。導体２１及び２８の信号パスの長さもまた短縮してもよいが、本発明によるジャックアセンブリにおける性能を得ることを要求されない（減少されるべきクロストーク減衰が中央の導体２４と２５、及び、分離した導体２３と２６による場合よりも極端に少ない）。特に、クロストークがより大きな問題となる所における導体２３、２４、２５及び２６を用いて、本発明は、接触ゾーン７０から導体２３、２４及び２６の各々の終端位置部分４３、４４、４５及び４６までの、より短い距離を提供する。さらに、本発明によれば、補償素子６４と補償素子３５とが、導体２３、２４、２５及び２６の各々に対して適用される。各々の導体２３、２４、２５及び２６の信号パスの長さは、各々の場合について６．２ｍｍ未満である。示される好適実施例において、プラグ６２とジャック１０のプラグ接触エリア７０からの導体２３、２５、２７の距離は、５ｍｍである。示される好適実施例において、プラグ６２とジャック１０のプラグ接触エリア７０からの導体２２、２４及び２６の距離は、４．２ｍｍである。異なる位置に配置された終端エリアは、異なる間隔を提供し、異なる信号パスの長さを提供する。さらに、隣接する導体が異なるジオメトリを持っていることにより、隣接する導体のより低いカップリングを可能とし（初期のクロストーク信号ｖ1 を減少させ）、要求される補償信号ｖ2 がより低くなる。さらに、共通の補償素子６４によって補償される導体２４及び２６について等しいパスの長さを提供することが利点と考えられる。同様に、共通の補償素子３５によって補償される導体２３及び２５について等しいパスの長さを提供することが利点と考えられる。さらに、（開示された実施例によれば）外側の導体２１と２８についての信号パスの長さを短縮する必要はない。その結果、より短くそしてより正確な導体２２乃至２７を提供する場合のコストが、バネ接触導体２１及び２８の場合には回避し得る。
【００３６】
（バネ接触導体２３と２６による）分離した通信線の対に左側の通信線（バネ接触導体２７と２８）と右側の通信線（バネ接触導体２１と２２）とから影響を及ぼすクロストークもまた補償される。右側の対の第１のバネ接触導体２１は、分離した対の第１のバネ接触導体２３に重大な影響は及ぼさない。しかし、右側の対の第２のバネ接触導体２２は、分離した対の第１のバネ接触導体２３に隣接し、信号カップリングが生じる。左側の対の第１のバネ接触導体２７は、分離した対の第２のバネ接触導体２６に隣接し、信号カップリングが生じる。第３のクロストーク補償素子１３は、回路基板６６と接続されて、第３の伝送線の第１の信号パスと第２の伝送線の第１の信号パスとの間に適用される唯一のクロストーク補償として、右側の（第３の）伝送線の第１の信号パス（２１、４１、３１）と第２の伝送線の第１の信号パス（２３、４３、３３）との間にクロストーク補償を提供する。第４のクロストーク補償素子６８は、回路基板６６と接続されて、第４の伝送線の第２の信号パスと第２の伝送線の第２の信号パスとの間に適用される唯一のクロストーク補償として、左側の（第４の）伝送線の第２の信号パス（２８、４８、３８）と第２の伝送線の第２の信号パス（２６、４６、３６）との間にクロストーク補償を提供する。さらに、（本質的なものではないが）インピーダンスバランス素子６２を提供することによって、よりよい性能を提供できる。
【００３７】
本発明の１つの補償システムを実装するために、バネ接触導体２１乃至２８は、ＲＪ４５タイプの接続に必要な機械的機能を提供しなければならない。ＲＪ４５タイプの接続のために接触バネに許容される変形を考慮に入れなければならない。
【００３８】
ＲＪ４５コネクタのバネ接触（２１乃至２８）は、ビーム（beam）として示される。ビームの変形とビームの長さとの関係は、以下のように概説できる。
【００３９】
【数４】
2007227350.tif 000006
【００４０】
ここで、δmax は、降伏なしに許容される変形である。σw は降伏なしの許容圧力である。ｌはロード（load）とサポート（support ）との間の距離である。Ｅは材料のヤング率である。ｈはビーム部の高さである。そのような電気的コネクタバネによく用いられる含燐銅がバネ接触子２１乃至２８について用いられる。これは、約１１０，０００Ｎ／ｍｍ2 のＥの値を有する。σw の値は約６００Ｎ／ｍｍ2 である。従来のＲＪ４５接触バネは、高さ０．３５ｍｍ、幅０．４ｍｍの断面を持つ。これらが、式（６）に代入されると、図９で示されるδmax のｌに対する関係が提供される。
【００４１】
図９から、７ｍｍ未満のバネの長さについては、バネの許容される変形は、０．５ｍｍ未満であることがわかる。ＦＣＣＰａｒｔ６８は、プラグブレードの許容される高さをカバーするために、バネの許容される変形について０．３ｍｍを要求する。製造の問題は、生産誤差から生じる他の０．３ｍｍの許容される変形を提供する。より複雑なことに、ＴＩＡ／ＥＩＡ５７０は、６個口のＲＪ１１プラグ（図３Ａ及び図３Ｂ参照）と適合するＲＪ４５ジャックを要求する。これは、ＲＪ４５ジャックのピン１及びピン８について、さらに０．８ｍｍの変形を加える。従って、ＲＪ４５接触バネについて要求される最小の変形は、約１．５ｍｍである。図９から、従来のバネ設計によれば、バネの長さは１０ｍｍ以上であることがわかる。
【００４２】
本発明によれば、接触エリア７０から終端位置部分（４２乃至４７）、すなわち（単一の補償の形を採る）クロストーク補償素子までの長さが短縮されたバネ接触子２２乃至２７を用いて、単一の補償方法が実行される。しかし、上述したように、従来の設計によって新たな性能要求についてのより高い性能を実現するために、バネの長さを短縮し、ＦＣＣとＴＩＡ／ＥＩＡ５７０により課されるその変形の要求を満たす方法はない。本発明によれば、性能要求は、バネ接触子２１及び２８（ピン１の信号パス及びピン８の信号パス）が他の接触バネ（ピン）２２乃至２７に比して長いパスを有する一方で、接触エリア７０から（単一の補償の形を採る）クロストーク補償素子までの長さが短縮されたバネ接触子２２乃至２７を提供することによって満たされる。これにより、ＴＩＡ／ＥＩＡ５７０の変形の要求は、バネ接触子２１と２８（ピン１と８）にのみ適用され、これは、より長いバネ接触子２１及び２８によって満たされる。さらに、バネ接触子２２乃至２７は、周知の断面に比して薄く、すなわち、高さが（わずかな公差のある）０．３ｍｍで、幅が０．４ｍｍ（又はわずかな公差のある０．４ｍｍ未満）である。これにより、バネの変形が十分に大きいことが確認できる。他の実施例によれば、高さが０．２ｍｍ、幅が０．４ｍｍ（又はわずかな公差のある０．４ｍｍ未満）である断面が用いられる。断面の高さが減少させられると、接触力もまた減少する。従って、場合によっては、絶縁されたバネサポーター９０が、接触力を維持するために用いられる。
【００４３】
本発明の他の実施例は、図１０から図１２に関して記述される。このコネクタ１０は、少なくともいくつかのパスについての１以上の補償素子（多数フェーズ補償）を用いる回路基板６６’を備える。コネクタ１０は、５００ＭＨｚで１０Ｇの性能のハードウェアをもたらす。高周波数で高性能のコネクタを設計するために、第１のフェーズに加えて、多数フェーズ補償と呼ばれる周知のクロストーク補償スキームが用いられて、同じ通信線の間の補償フェーズを提供する。その技術は上述した。しかし、周波数帯域が（高いスループット−帯域幅を提供するには）広すぎる場合は、補償の時間遅れによって、周波数帯域の両エンドにおける性能のバランスをとることが難しくなる。また、接触ゾーン７０に対するバネ接触子の長さと終端に関する技術が、１０Ｇの性能についての第２の実施例における第１のフェーズにおいて用いられ、少なくとも第２のフェーズの一つが提供される。
【００４４】
Ｖ1 がプラグ／ジャックの近端クロストーク（ＮＥＸＴ）を示すベクトルである場合、そのノイズ（クロストーク）を補償するために、周知のマルチフェーズ補償技術が、（接触エリア７０と近接する）クロストーク導入位置の後方のいくつかの位置において、第１の補償を、逆の信号ベクトルＶ2 として加える。信号Ｖ2 は、信号Ｖ1 の大きさの約２倍の大きさである。そして、同一の極性（初期のクロストークノイズと同一の信号パスのインタラクションを含む）を持ち、Ｖ1 の大きさを持つベクトルが、Ｖ2 から同一の距離だけ後方において加えられて、Ｖ2 の時間遅れの影響をバランスさせる。図１０は、その概念を示している。ベクトル和は、
Ｖx ＝Ｖ2 ｓｉｎθ−Ｖ1 ｓｉｎ２θ
Ｖy ＝Ｖ2 ｃｏｓθ−Ｖ1 （１＋ｃｏｓ２θ）
として算出され、残留ベクトルは、
【００４５】
【数５】
2007227350.tif 000007
【００４６】
として算出される。
【００４７】
経験則が、帯域幅の中央において、残留ベクトルＶres をゼロとして、その性能が両端について対照的にバランスするようにする。ＮＥＸＴがゼロとされたところにおける周波数は、同調周波数と呼ばれる。同調周波数において、Ｖ2 ＝２Ｖ1 ｃｏｓθt であることが知られている。これから、下付き記号ｔが同調されたことを示す任意の周波数の残りのノイズが得られる。Ｖ2 を式（７）に代入すると、任意の周波数に関連する残留ノイズが得られる。
【００４８】
Ｖres ＝２Ｖ1 （ｃｏｓθt −ｃｏｓθ）    ．．．式（８）
コサイン関数の複雑さを減らすため、テイラー展開、
【００４９】
【数６】
2007227350.tif 000008
【００５０】
を適用する。
【００５１】
θとθt とが１より十分に小さいため、高次の項を正確性を失うことなく省略することができる。その結果、
【００５２】
【数７】
2007227350.tif 000009
【００５３】
となる。ｌは信号が移動する長さであり、Ｖ1 とＶ2 との間の距離の２倍に等しい。ｖは信号伝送速度であり、ｆは周波数である。上記要素を式（８）に代入して、
【００５４】
【数８】
2007227350.tif 000010
【００５５】
が得られる。式（９）から、帯域幅の終端において、残留ノイズＶres は、ｌの二乗に比例し、距離の二乗、そして、帯域幅の２分の１である｜ｆ2 −ｆt 2 ｜に比例し、ｆ＝ｆt の場合、Ｖres ＝０である。
【００５６】
寸法公差が次に考慮される。計算を理解し易くするために、誤差が元のベクトルに割り当てられる。
【００５７】
Ｖx ＝Ｖ2 ｓｉｎθ−Ｖ1 ｓｉｎ２θ
Ｖy ＝Ｖ2 ｃｏｓθ−ｔＶ1 （１＋ｃｏｓ２θ）
ｔは公差因子である。
【００５８】
【数９】
2007227350.tif 000011
【００５９】
コサイン関数のテイラー展開をすると、
【００６０】
【数１０】
2007227350.tif 000012
【００６１】
が得られる。
【００６２】
Ａ＝４（ｃｏｓt θ−ｃｏｓθ）2 −４（ｔ−１）ｃｏｓθ（ｃｏｓθt −ｃｏｓθ）＋（ｔ−１）2 
とすると、コサイン級数をＡに代入し、式（１０）から、
【００６３】
【数１１】
2007227350.tif 000013
【００６４】
と、２０ｌｏｇ10Ｖres ＝２０ｌｏｇ10Ｖ1 ＋１０ｌｏｇ10Ａ    ．．．式（１２）
が得られる。
【００６５】
実環境の因子を考慮すると、ＴＩＡ／ＥＩＡは、１ＭＨｚから５００ＭＨｚにおいて動作する１０Ｇイーサネットアプリケーションについての増大するＣＡＴ６ケーブルカテゴリを規定する。合理的な同調周波数は２５０ＭＨｚである。より低いエンドの残留ノイズを考慮すると、１０ＭＨｚは、ＴＩＡ／ＥＩＡがテストプラグ値として規定している最も低い周波数である。通信線３、６の対と通信線４、５の対の組み合わせからなる中央のテストプラグをとると、Ｖ1 は、得られた測定値から−５７ｄＢである。許容される残留ノイズは、ＴＩＡ／ＥＩＡ５６８Ｂ．２−１の基準によれば、−７４ｄＢである。この制限を式（１１）に代入すると、０．０２以下のＡが得られる。次に、１２．５％という標準の公差を近似した公差因子ｔ＝１．１３と、標準の伝送速度ｖ＝２．０ｅ８を想定すると、式（１０）から、３７９２ｌ2 ＋１６ｌ2 −０．０３≦０が得られる。その結果、ｌ≦１３．４となり、Ｖ1 とＶ2 との間の距離、すなわち、クロストーク信号から第１の補償の位置までの距離である接触ゾーン７０から終端位置部分までの距離が６．７ｍｍ未満となる。
【００６６】
図１１と図１２を参照すると、上述した回路基板６６と同様の方法で配置される回路基板６６' が示される。特に、第２の実施例の回路基板６６' が、圧着接触１５用のスロット１６を備えるプラスチック部１４とプラスチックカバー部１２に接続されている（図１及び図２を参照）。回路基板６６' は、終端位置部分４１から４８に各々終端されている（回路基板トレースに接続されている）バネ接触導体２１から２８を備える。終端位置部分としては、メッキされた貫通孔が用いられ、又は、バネ接触子を回路基板のトレースに接触させるための他の技術が用いられる。
【００６７】
ジャックアセンブリ１０を用いた、より高いスループットのアプリケーション（１０Ｇ）を用いて、例えば回路基板６６' が、通信が、各々の通信線が１対の信号パスに基づいている多数の通信線又は伝送線に基づいている所において用いられる。図１０及び図１１において、信号パス（回路基板６６' 上の回路トレース３１乃至３８によって伝送されるそのようなパスの始めとエンド）は、１から８までに分類される。終端位置部分４１から４８は、相互に接続された導体又はトレース３１から３８の各々と接続されている。トレース３１から３８は、伝送線の信号パス１から８を延長する。パス１からパス８による４個までの伝送線が、貫通孔又は終端位置部分４１乃至４８、トレース３１から３８、貫通孔又は終端位置部分８１乃至８８、及び圧着接触１５の各々を通じて、バネ接触導体２１乃至２８に関連付けられている。
【００６８】
信号パス１及び２は、左外側の伝送線であり、バネ接触子２１、２２、貫通孔４１、４２、２８、貫通孔４７、４８、貫通孔８７及び８８によってＩＤＣ１５の各々に接続されているトレース３７、３８を備える。信号パス４及び５は、中央の伝送線であり、バネ接触子２４、２５、貫通孔４４、４５、及び、貫通孔８４及び８５によってＩＤＣ１５の各々に接続されているトレース３４、３５を備える。信号パス３及び６は、分離した伝送線の対であり、バネ接触子２３、２６、貫通孔４３、４６、及び、貫通孔８３及び８６によってＩＤＣ１５の各々に接続されているトレース３３、３６を備える。
【００６９】
本発明の第２の実施例は、マルチフェーズ補償と呼ばれる補償によってクロストークを補償する。第１の補償フェーズは、元々はプラグ接触エリア７０の近く又はプラグ接触エリア７０において生じたクロストークによって影響を受けない信号パスからの信号を導入する、６４及び５３といったキャパシタ（リアクティブ素子―補償素子）を提供する。第１の補償フェーズは、補償信号Ｖ2 を導入する。第２のフェーズが適用される（言及したように、第２のフェーズは各通信線に適用されず、中央の通信線と分離した通信線の対が等しくないフェーズ遅れを持つ）所においては、信号Ｖ2 は元のクロストーク信号の大きさの２倍である。その通信線の間に第２のフェーズが適用されない場合、ほぼ同一の値を持つ単一のフェーズ補償信号が上述したように導入される。補償の第２のフェーズは、好ましくは、元のクロストーク値Ｖ1 とＶ2 との間隔とほぼ同一の間隔の所において、Ｖ1 を再導入する。補償素子６４及び５３が、終端位置部分４４、４６、４５、４３の近くにおいて、又は終端位置部分４４、４６、４５、４３において適用され、バネ接触子２１乃至２８のバネ接触構成に基づくことから、Ｖ2 又は（Ｖ1 と反対であるが値は等しい）単一のフェーズが、接触ゾーン７０から６．７ｍｍ未満又は６．２ｍｍ未満の信号パスに導入される。クロストーク補償素子（キャパシタ）１３は、回路基板６６に接続され、パス１と３の間に補償信号を適用することによってクロストーク補償を提供する。この補償素子１３は、（異なる通信線を別にすれば）唯一のフェーズ又は第１のフェーズである。第１の実施例において、インピーダンスバランス素子６２が提供される。
【００７０】
さらに大きな帯域幅（より高いスループット）を実現するため、元々プラグ接触エリア７０の近く又はプラグ接触エリア７０において生じたクロストークＶ1 によって影響される信号パスである信号パス５と６との間のインタラクションに基づく、Ｖ1 に対応する補償信号を導入する、少なくとも他の一つの補償素子５６が提供される。補償素子５６は、終端位置部分４５、４６から６．２ｍｍから７．２ｍｍ、例えば６．７ｍｍの範囲において接続され、上述したように、補償信号Ｖ1 に対する補償信号Ｖ2 の適用に基づく利点を提供する。マルチフェーズ補償の実施例に関して、２つの等しいフェーズ遅れが、３つの信号ベクトル（すなわち、元の（クロストーク）、第１の補償、第２の補償）の間に適用される。好適な実施例においては、１つのパスの組のみが第２のフェーズを有するため、等しくないフェーズ遅れが、それらの信号ベクトルを分離するために用いられる。また、第１の補償ベクトル（補償信号Ｖ1 ）と元の（クロストーク）ベクトルとの間のフェーズ遅れが減少することにより、要求されるバランス補償（第２の補償）は小さい。最終結果は、この小さな信号のフェーズ遅れ誤差によってほとんど影響を受けない。その結果、補償素子５６が、さらに大きなフェーズ遅れ、及び、より小さな補償の大きさを提供するように適用される。そして、これにより、補償回路によって要求されるエリアを考慮して、第２の補償（補償素子５６）が、第１の補償（６４、５３）から離れている。例えば、補償素子６４及び５３によって、元々のクロストーク（Ｖ1 ）から６．７ｍｍ未満のところにおいて適用されるＶ2 によって、等しくないフェーズ遅れとして配置される補償素子５６の形をとる第２の補償が、終端位置部分８５、８６に接続され、良好な１０Ｇ性能（ＴＩＡ／ＥＩＡは、１ＭＨｚから５００ＭＨｚにおいて動作する１０Ｇイーサネットアプリケーション用のＣＡＴ６ケーブルカテゴリを増加している）を提供する。
【００７１】
本発明の特定の実施例を示し、詳細に説明して、本発明の思想の適用を示したが、本発明は、そのような思想を逸脱しない他の方法で具体化されることが理解される。
【００７２】
以上から判るように、本発明の実施形態の特徴が以下のように把握される。
（１）  電気的コネクタジャックであって、
支持部と、挿入面を備える開口を規定するプラグ受け部とを備える本体と、
前記挿入面を受ける前記プラグに関して当該回路基板を配置するための前記支持部に実装される回路基板であって、バネ接触子の終端位置部分から各々延びる回路トレースを備え、前記バネ接触子の終端位置部分が、前記挿入面からの第１の間隔を持つバネ接触子の終端位置部分の第１の組と、前記挿入面からの第２の間隔を持つバネ接触子の終端位置部分の第２の組と、前記挿入面からの第３の間隔を持つバネ接触子の終端位置部分の第３の組とを備える回路基板と、
複数のバネ接触導体であって、各々がその各々の備える前記バネ接触子の終端位置部分の一つにおいて終端し、かつ、各々が前記挿入面からの共通の間隔で実質的に隔てられた共通のプラグ接触ゾーンを有する複数のバネ接触導体とを備える
ことを特徴とする電気的コネクタジャック。
（２）  前記（１）に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、７ｍｍ以下の導電パスを有し、前記バネ接触子の終端位置部分の第３の組に接続するバネ接触導体が７ｍｍ以上の導電パスを有する
ことを特徴とする電気的コネクタジャック。
（３）  前記（２）に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組に接続するバネ接触導体が、４ｍｍと５ｍｍとの間の導電パスを有し、前記バネ接触子の終端位置部分の第２の組に接続するバネ接触導体が、４．５ｍｍと５．５ｍｍとの間の導電パスを有し、前記バネ接触子の終端位置部分の第３の組に接続するバネ接触導体が、１０ｍｍ以上の導電パスを有する
ことを特徴とする電気的コネクタジャック。
（４）  前記（２）に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、０．３５ｍｍ以下の高さと０．４ｍｍ以下の幅の断面を有する
ことを特徴とする電気的コネクタジャック。
（５）  前記（２）に記載の電気的コネクタジャックにおいて、
前記バネ接触導体の各々が、前記プラグ接触ゾーンから各々の前記バネ接触子の終端位置部分への導電パスを提供し、前記バネ接触子の終端位置部分の第１の組と前記バネ接触子の終端位置部分の第２の組に接続するバネ接触導体が、１．５ｍｍ以下の最小の変形を有し、前記バネ接触子の終端位置部分の第３の組に接続するバネ接触導体が少なくとも１．５ｍｍの最小の変形を有する
ことを特徴とする電気的コネクタジャック。
（６）  前記（１）に記載の電気的コネクタジャックにおいて、
前記バネ接触導体の各々が、前記プラグ接触ゾーンから各々の前記バネ接触子の終端位置部分への導電パスを提供し、
３つのバネ接触導体が、前記バネ接触子の終端位置部分の第１の組に接続され、前記３つのバネ接触導体が、前記バネ接触子の終端位置部分の第１の組に接続されたバネ接触導体によって、又は、他の終端部分の接触を提供するための前記バネ接触子の終端位置部分の第２の組に接続されたバネ接触導体によって、前記バネ接触子の終端位置部分の第２の組に接続され、
２つのバネ接触導体が、前記他の終端部分の接触の一方の側に延びる前記バネ接触子の終端位置部分の第３の組に接続された前記バネ接触導体の一方によって、及び、前記他の終端部分の接触の他方の側に延びる前記バネ接触子の終端位置部分の第３の組に接続された前記バネ接触導体の他方によって、前記バネ接触子の終端位置部分の第３の組に接続される
ことを特徴とする電気的コネクタジャック。
（７）  前記（６）に記載の電気的コネクタジャックにおいて、
前記他の終端部分の接触の断面が、前記バネ接触子の終端位置部分の第３の組に接続された前記バネ接触導体の断面より小さい
ことを特徴とする電気的コネクタジャック。
（８）  電気的コネクタであって、
各々がバネ接触子の終端位置部分と他の終端位置部分との間に延びる、相互に接続する導体を備える回路基板と、
各々が前記バネ接触子の終端位置部分の一つの各々において終端する１組のバネ接触導体とを備え、
前記バネ接触子の終端位置部分の組の前記バネ接触導体の各々が、プラグ接触ゾーンを備え、対応する前記プラグ接触ゾーンから各々の前記バネ接触子の終端位置部分への６．７ｍｍ以下のバネ接触導電パスを規定する
ことを特徴とする電気的コネクタ。
（９）  前記（８）に記載の電気的コネクタが、更に、
各々が前記バネ接触子の終端位置部分の一つの各々において終端する第２のバネ接触導体の組を備え、
前記第２のバネ接触導体の組が、前記バネ接触導体の組の右側にある、右外側のバネ接触導体と、前記バネ接触導体の組の左側にある、左外側のバネ接触導体とを備え、
前記第２のバネ接触導体の組が、各々、プラグ接触ゾーンを備え、対応する前記プラグ接触ゾーンから各々の前記バネ接触子の終端位置部分への１０ｍｍ以上のバネ接触導電パスを規定する
ことを特徴とする電気的コネクタ。
（１０）  前記（８）に記載の電気的コネクタにおいて、
前記バネ接触子の終端位置部分が、対応するバネ接触導体の前記プラグ接触ゾーンからの間隔が異なるように、隣接するバネ接触子の終端位置部分とオフセットされており、前記バネ接触導体の組のいくつかが、５．８ｍｍから６．２ｍｍのバネ接触導電パスを有し、前記バネ接触導体の組のいくつかが、５．６ｍｍから６．０ｍｍのバネ接触導電パスを有する
ことを特徴とする電気的コネクタ。
（１１）  前記（８）に記載の電気的コネクタにおいて、
相互に接続する導体と、電気的に接続されたバネ接触導体の対が、伝送線部を形成し、更に、
一つの通信線の第１の相互に接続した導体と他の通信線の第２の相互に接続した導体との間に第１／第２のクロストーク補償信号を提供する第１／第２のクロストーク補償素子と、一つの通信線の第２の相互に接続した導体と他の通信線の第１の相互に接続した導体との間に第２／第１のクロストーク補償信号を提供する第２／第１のクロストーク補償素子とを備え、
各クロストーク補償素子が、前記終端位置部分において、又は、前記終端位置部分に隣接したところにおいて適用される
ことを特徴とする電気的コネクタ。
（１２）  前記（１１）に記載の電気的コネクタにおいて、
前記第１／第２のクロストーク補償素子と前記第２／第１のクロストーク補償素子が、前記回路基板上の前記第１の通信線と前記第２の通信線との間に接続された唯一の補償素子である
ことを特徴とする電気的コネクタ。
（１３）  前記（１１）に記載の電気的コネクタが、更に、
前記一つの通信線の相互に接続した導体と前記第２の通信線の相互に接続した導体との間に第２のフェーズのクロストーク補償信号を提供する他のクロストーク補償素子を備える
ことを特徴とする電気的コネクタ。
（１４）  前記（１３）に記載の電気的コネクタにおいて、
更なるクロストーク補償信号を提供する前記他のクロストーク補償素子が、前記一つの通信線の相互に接続した導体と前記第２の通信線の相互に接続した導体の終端位置部分から７．２ｍｍ未満のところにおいて適用される
ことを特徴とする電気的コネクタ。
（１５）  前記（１３）に記載の電気的コネクタにおいて、
更なるクロストーク補償信号を提供する前記他のクロストーク補償素子が、前記他の終端位置部分の２つにおいて適用される
ことを特徴とする電気的コネクタ。
（１６）  コネクタジャックであって、
中央のバネ接触導体の対を備える伝送線と分離したバネ接触導体の対を備える他の伝送線との間のある大きさのクロストークを伴うＲＪプラグ接触エリアを規定する複数の伝送線についての導体の対を提供する複数のバネ接触導体であって、前記分離したバネ接触導体の対が、前記中央の対の各側におけるバネ接触導体を含む複数のバネ接触導体と、
前記通信線についての導電パスを提供するために前記バネ接触導体に接続される相互に接続した導体と、
前記中央の導体の対を備える通信線と前記分離した導体の対を備える通信線との間にあって、前記接触エリアから６．２ｍｍ以下である前記パスに沿った位置において、前記相互に接続する導体と前記分離した接続導体の一つに適用されるクロストーク補償手段とを備える
ことを特徴とするコネクタジャック。
（１７）  前記（１６）に記載のコネクタジャックにおいて、
前記相互に接続した導体が、トレースの各々と、対応する前記バネ接触導体の一つとの間の電気的接続を提供する貫通孔を有する回路基板上のトレースを備え、
前記クロストーク補償手段が、前記通信線と中央の導体の対によって接続されたトレースと、前記通信線と分離した導体の対によって接続されたトレースとを備える
ことを特徴とするコネクタジャック。
（１８）  前記（１７）に記載のコネクタジャックにおいて、
前記クロストーク補償手段が、前記トレースの一つと、対応する前記貫通孔の一つとの間のインタフェースに隣接して前記クロストーク補償手段を適用するために、前記貫通孔と接続されている
ことを特徴とするコネクタジャック。
（１９）  前記（１６）に記載のコネクタジャックにおいて、
前記中央の導体の対又は前記分離した導体の対の前記接触エリアと、対応する貫通孔との距離が、５．２ｍｍ以下であり、最も外側の導体の他の接触エリアと、対応する貫通孔との距離が、１０ｍｍ以上である
ことを特徴とするコネクタジャック。
（２０）  前記（１６）に記載のコネクタジャックが、更に、
各々が前記相互に接続した導体の一つの各々に終端する複数の圧着接触と、
前記圧着接触と協働して、ワイヤーを前記圧着接触に終端させるためのワイヤー受けスロットを形成する本体とを備える
ことを特徴とするコネクタジャック。
【産業上の利用可能性】
【００７３】
以上、説明したように、本発明によれば、電気的コネクタジャックにおいて、バネ接触導体が、接触エリアにおいて接触を提供しつつ、回路基板の終端位置部分から（あるいは開口の面から）異なる間隔の所において終端することが可能になる。また、バネ接触導体が、隣接するバネ接触導体とのクロストークカップリングを軽減し又は防止することができる。これにより、ＲＪ型のプラグとの接続用、プリント回路基板上の相互接続する回路との接続用、及び、高いレベルのスループットを実現するためのクロストーク補償手段との接続用のＲＪ型の接続インタフェースを規定する、複数の通信線についての導体対を持つバネ接触子を備えるコネクタジャックを提供することができる。
【図面の簡単な説明】
【００７４】
【図１】本発明の第１及び第２の実施例によるジャックアセンブリの透視図である。
【図２】ジャックカバー部が除かれた図１のジャックを示す透視図である。
【図３Ａ】６個の接続を持つＲＪプラグと嵌合する図１のジャックアセンブリの部分断面側面図である。
【図３Ｂ】嵌合位置において６個の接続を持つＲＪプラグを収容する、図１のジャックアセンブリの部分断面端面図である。
【図３Ｃ】８個の接続を持つＲＪプラグと嵌合する図１のジャックアセンブリを示す部分断面・切り取り(cut side way)図である。
【図３Ｄ】嵌合位置において８個の接続を持つＲＪプラグを収容する、図１のジャックアセンブリの部分端面図である。
【図４Ａ】バネ接触子の１組のうちのバネ接触と、接触エリアからプリント回路基板上の終端位置部分までの信号パスの長さを示す、回路基板の断面図である。
【図４Ｂ】バネ接触子の１組のうちのバネ接触と、接触エリアからプリント回路基板上の終端位置部分までの信号パスの長さを示す、回路基板の断面図である。
【図４Ｃ】バネ接触子の１組のうちのバネ接触と、接触エリアからプリント回路基板上の終端位置部分までの信号パスの長さを示す、回路基板の断面図である。
【図５】想像線に示す８個の接続を持つＲＪプラグと嵌合する図１のジャックアセンブリを示し、接触ゾーンからジャックの開口面までの距離を示す透視図である。
【図６】本発明の第１及び第２の実施例の第１の又は唯一の補償フェーズについてのクロストーク補償を示す複素平面の説明図である。
【図７】図１のジャックアセンブリの第１の実施例による回路基板の第１の側を示す図である。
【図８】図７の回路基板の第２の側を示す図である。
【図９】バネ接触子の変形とバネ接触子の長さとの一般的な関係を示す図である。
【図１０】本発明の第２の実施例による第１及び第２の補償フェーズについてのクロストーク補償の説明図である。
【図１１】図１のジャックアセンブリの第２の実施例による回路基板の第１の側を示す図である。
【図１２】図１１の回路基板の第２の側を示す図である。
【符号の説明】
【００７５】
１０  ジャックアセンブリ
１２  ジャックプラスチックカバー部
１４  ジャックベーシックプラスチック部
１６  スロット
２１〜２８  バネ接触導体
４２、４４、４６  終端ポイント
６２  ＲＪプラグ
６０  導体接続
６６  回路基板
７０  接触ポイント又は接触エリア
【図１】
2007227350.tif 000014
【図２】
2007227350.tif 000015
【図３Ａ】
2007227350.tif 000016
【図３Ｂ】
2007227350.tif 000017
【図３Ｃ】
2007227350.tif 000018
【図３Ｄ】
2007227350.tif 000019
【図４Ａ】
2007227350.tif 000020
【図４Ｂ】
2007227350.tif 000021
【図４Ｃ】
2007227350.tif 000022
【図５】
2007227350.tif 000023
【図６】
2007227350.tif 000024
【図７】
2007227350.tif 000025
【図８】
2007227350.tif 000026
【図９】
2007227350.tif 000027
【図１０】
2007227350.tif 000028
【図１１】
2007227350.tif 000029
【図１２】
2007227350.tif 000030